(57)【要約】      （修正有）【課題】移動が可能で効率よく操縦体験をさせることができ、コンパクトで低コストのポータブルフライトシミュレータを提供する。【解決手段】フライトシミュレーションの画像を表示するモニタ１１を、下面にキャスタを備えて移動可能とした足載せ用のステップ１５の前部に左右一対のモニタスタンドを介して立設し、ステップの後部には、上部に座席を搭載した座席フレーム１８を配設するとともに、座席フレームをステップの上面に進退可能に取り付け、さらに、ステップ上面に操縦１９を取り付けた上、操縦桿に付設した通信機器を介して操縦桿の操作をフライトシミュレーション用ソフトに送信し、操縦桿の操作をモニタに表示されたフライトシミュレーションの画像に反映させる。【選択図】図１
0003219207.tif 000002
【実用新案登録請求の範囲】
【請求項１】
フライトシミュレーションの画像を表示するモニタを、下面にキャスタを備えて移動可能とした足載せ用のステップの前部に左右一対のモニタスタンドを介して立設し、前記ステップの後部には、上部に座席を搭載した座席フレームを配設するとともに、該座席フレームを前記ステップの上面に進退可能に取り付け、さらに、前記ステップ上面に操縦桿を取り付けた上、該操縦桿に付設した通信機器を介して操縦桿の操作をフライトシミュレーション用ソフトに送信し、操縦桿の操作をモニタに表示されたフライトシミュレーションの画像に反映させるようにしたことを特徴とするポータブルフライトシミュレータ。
【請求項２】
前記操縦桿は、前記ステップ上面にユニバーサルマウントを介して立設したスティックタイプの操縦桿であることを特徴とする請求項１に記載のポータブルフライトシミュレータ。
【請求項３】
前記操縦桿は、前記ステップ上面にマウントを介して立設した操縦輪支柱の上端に回動可能に取り付けられており、前記操縦桿の上部に設置したハウジング内にはラバーマウントが軸着され、該ラバーマウントの前端には軸受を介して前記操縦桿を取り付けるボス部が取り付けられていることを特徴とする請求項１に記載のポータブルフライトシミュレータ。
【請求項４】
前記左右一対のモニタスタンドは、それぞれ方向舵を操作するためのラダーペダルが付設されていることを特徴とする請求項１ないし３のいずれかに記載のポータブルフライトシミュレータ。
【請求項５】
前記操縦桿ないしラダーペダルは、その取り付け部に一方向を制限するシザース機構を取り付けることにより、複雑な機構を使わずに信頼性、安全性、静音性、整備性、操作感覚を向上させるエラストメリック機能を付加できるようにしたことを特徴とする請求項１ないし４のいずれかに記載のポータブルフライトシミュレータ。
【考案の詳細な説明】
【技術分野】
【０００１】
本考案は、航空関連スクール、職業体験イベント、博物館、アミューズメント施設等における一時的な設置などに有用なポータブルフライトシミュレータ（簡易式地上模擬飛行体験機器）に関する。
【背景技術】
【０００２】
従来のフライトシミュレータの場合、コンピュータなどの設置式が多く、したがって大型で重く、また振動をきらうために移動には向かず、かつ構造が複雑なため高価な上、ある程度の基礎知識と整備の必要があった。
また、設置式コンピュータのため、限られたソフトのみの使用が可能となっていた。
【先行技術文献】
【特許文献】
【０００３】
【特許文献１】特表２０１３−５３９５５１号公報
【特許文献２】特開平８−１３１６５９号公報
【特許文献３】特開平７−１２１０９７号公報
【特許文献４】実開平５−９０５２４号公報
【特許文献５】特開平５−１４２９８２号公報
【特許文献６】特開平４−１７７２８６号公報
【考案の概要】
【考案が解決しようとする課題】
【０００４】
そこで本考案は、移動が可能で効率よく操縦体験をさせることができ、もちろんコンパクトで低コストのポータブルフライトシミュレータを提供することをその目的とするものである。
【課題を解決するための手段】
【０００５】
すなわち本考案のポータブルフライトシミュレータは、フライトシミュレーションの画像を表示するモニタを、下面にキャスタを備えて移動可能とした足載せ用のステップの前部に左右一対のモニタスタンドを介して立設し、前記ステップの後部には、上部に座席を搭載した座席フレームを配設するとともに、該座席フレームを前記ステップの上面に進退可能に取り付け、さらに、前記ステップ上面に操縦桿を取り付けた上、該操縦桿に付設した通信機器を介して操縦桿の操作をフライトシミュレーション用ソフトに送信し、操縦桿の操作をモニタに表示されたフライトシミュレーションの画像に反映させるようにしたことを特徴とするものである。
【０００６】
本考案のポータブルフライトシミュレータにおいて、前記操縦桿は、前記ステップ上面にユニバーサルマウントを介して立設したスティックタイプの操縦桿であることをも特徴とするものである。
【０００７】
本考案のポータブルフライトシミュレータにおいて、前記操縦桿は、前記ステップ上面にマウントを介して立設した操縦輪支柱の上端に回動可能に取り付けられており、前記操縦桿の上部に設置したハウジング内にはラバーマウントが軸着され、該ラバーマウントの前端には軸受を介して前記操縦桿を取り付けるボス部が取り付けられていることをも特徴とするものである。
【０００８】
本考案のポータブルフライトシミュレータにおいて、前記左右一対のモニタスタンドは、それぞれ方向舵を操作するためのラダーペダルが付設されていることをも特徴とするものである。
【０００９】
本考案のポータブルフライトシミュレータにおいて、前記操縦桿ないしラダーペダルは、その取り付け部に一方向を制限するシザース機構を取り付けることにより、複雑な機構を使わずに信頼性、安全性、静音性、整備性、操作感覚を向上させるエラストメリック機能を付加できるようにしたことをも特徴とするものである。
【考案の効果】
【００１０】
請求項１のポータブルフライトシミュレータは、フライトシミュレーションの画像を表示するモニタを、足載せ用のステップの前部にモニタスタンドを介して立設し、前記ステップの後部には、上部に座席を搭載した座席フレームを配設するとともに、前記ステップ上面に操縦桿を取り付けた上、該操縦桿に付設した通信機器を介して操縦桿の操作をフライトシミュレーション用ソフトに送信し、操縦桿の操作をモニタに表示されたフライトシミュレーションの画像に反映させるようにしたものである。
したがって、比較的スペースのない場所へ一人でも容易に移動、持ち運びが可能であり、また設置が簡単なため、コンパクトで低コストな、非常に有用性の高いポータブルフライトシミュレータ（簡易移動式地上模擬飛行体験機器）を提供することができる。
【００１１】
請求項２のポータブルフライトシミュレータにおいて、前記操縦桿は、前記ステップ上面にユニバーサルマウントを介して立設したスティックタイプの操縦桿としたものであり、当該タイプの操縦桿のシミュレーションに好適である。
【００１２】
請求項３のポータブルフライトシミュレータにおいて、前記操縦桿は、前記ステップ上面にマウントを介して立設した操縦輪支柱の上端に回動可能に取り付けられており、前記操縦桿の上部に設置したハウジング内にはラバーマウントが軸着され、該ラバーマウントの前端には軸受を介して前記操縦桿を取り付けるボス部が取り付けられているものであり、当該タイプの操縦桿のシミュレーションに好適である。
【００１３】
請求項４のポータブルフライトシミュレータにおいて、前記左右一対のモニタスタンドは、それぞれ方向舵を操作するためのラダーペダルが付設されているものであり、方向舵の操作の習得に好適である。
【００１４】
請求項５のポータブルフライトシミュレータにおいて、前記操縦桿ないしラダーペダルは、その取り付け部に一方向を制限するシザース機構を取り付けることにより、複雑な機構を使わずに信頼性、安全性、静音性、整備性、操作感覚を向上させるエラストメリック機能を付加できるようになった。
【図面の簡単な説明】
【００１５】
【図１】本考案のポータブルフライトシミュレータの実施の形態を示す概略斜視図である。
【図２】モニタをモニタスタンドに取り付けた状態の要部概略斜視図である。
【図３】その概略断面図である。
【図４】操縦桿（スティックタイプ）の概略斜視図である。
【図５】操縦桿（スティックタイプ）の取付け部の詳細を示す概略拡大斜視図である。
【図６】操縦桿（ハンドルタイプ）の要部を示す概略斜視図である。
【図７】その概略断面図である。
【図８】操縦桿（ハンドルタイプ）を背面側から見た概略斜視図である。
【考案を実施するための形態】
【００１６】
図１に本考案のポータブルフライトシミュレータの実施の形態を示す。
図において、１１はフライトシミュレーションの画像を表示するモニタであり、下面にキャスタ１６を備えて移動可能とした足載せ用のステップ１５の前部に、左右一対のモニタスタンド１４，１４を介してやや後傾した状態で立設されている。
また、前記ステップ１５の後部には、上部に座席１７を搭載した座席フレーム１８が配設され、該座席フレーム１８の前端は前記ステップ１５の上面に形成したスライドガイド１５ａにはめ込まれてスライドできるようになっている。
このスライド機構により、前記座席１７は操縦者の体格等に応じて後述の操縦桿１９に向けて進退できるようになっている。
【００１７】
さらに、１９は前記ステップ１５上面にユニバーサルマウント２０を介して立設したスティックタイプの操縦桿であり、その端部には操縦者が操作するグリップ２１が首振り自在に取り付けられている。２２はそのグリップ２１の操作に応じて配信する通信機器類を内蔵した通信機器ホルダで、前記グリップ２１ないし操縦桿１９に取り付けられている。
したがって、操縦者が前記座席１７に着座して操縦桿１９のグリップ２１を握り、モニタ１１に表示されたフライトシミュレーションの画像にしたがって操縦すると、そのグリップ２１の操作に応じて通信機器類がフライトシミュレーション用ソフトに送信し、その操作状況がフライトシミュレーションの画像上に反映されてフライトシミュレーションが実行されるのである。
図中２３は前記左右一対のモニタスタンド１４，１４に取り付けた方向舵を操作するためのラダーペダルである。
【００１８】
図２および図３は、前記モニタ１１を左右一対の前記モニタスタンド１４，１４上部の連結部にモニタマウント１２をはめ込み、モニタマウント固定ネジ１３で固定した状態を示すものである。
上記構造を採用したことにより、前記モニタ１１をモニタスタンド１４，１４にワンタッチで取付け、取外しができるようになった。
【００１９】
図４および図５は、前記スティックタイプの操縦桿１９の詳細を示すものである。
すなわち、前記スティックタイプの操縦桿１９はシザースプレート２４を介して前記ステップ１５上面に取り付けられており、首振り自在の前記ユニバーサルマウント２０を介して自由にその角度や向きを変えることができるようになっている。
【００２０】
図６ないし図８は、ハンドルタイプの操縦桿３１の詳細を示すものである。
該ハンドルタイプの操縦桿３１は、前記ステップ１５上面にマウント３３を介して立設した操縦輪支柱３２の上端に回動可能に取り付けられている。
そして、前記操縦桿３１の上部に設置したハウジング３４内にはラバーマウント３５が軸着され、該ラバーマウント３５の前端には軸受３６を介してボス部３７が、後端には抜止め用のナット３８が取り付けられている。
【産業上の利用可能性】
【００２１】
本考案においてはポータブルフライトシミュレータ（簡易移動式地上模擬飛行体験機器）として有用であることを強調して記載しているが、本考案の要旨を変更しない限り、各種スクール、職業体験イベント、博物館、アミューズメント施設等において、ブルフライトシミュレーション以外の操縦訓練、教育等に使用できることはいうまでもない。
【符号の説明】
【００２２】
１１  モニタ
１２  モニタマウント
１３  モニタマウント固定ネジ
１４，１４  モニタスタンド
１５  ステップ
１５ａ  スライドガイド
１６  キャスタ
１７  座席
１８  座席フレーム
１９  操縦桿
２０  ユニバーサルマウント
２１  グリップ
２２  通信機器ホルダ
２３  ラダーペダル
２４  シザースプレート
３１  ハンドルタイプの操縦桿
３２  操縦輪支柱
３３  マウント
３４  ハウジング
３５  ラバーマウント
３６  軸受
３７  ボス部
３８  ナット
【図１】
0003219207.tif 000003
【図２】
0003219207.tif 000004
【図３】
0003219207.tif 000005
【図４】
0003219207.tif 000006
【図５】
0003219207.tif 000007
【図６】
0003219207.tif 000008
【図７】
0003219207.tif 000009
【図８】
0003219207.tif 000010